(57)【要約】【課題】歯科用マイクロエンジンインスツルメントにおいて、モータの回転軸の回転を磁気カップリングを介して非接触にて伝達するようにするとともに、この非接触のカップリングの磁石間に隔壁板を配設し、該隔壁板にて液体等がモータ内部に侵入するのを防止し、もって、モータの回転不良などの不具合を防止する。【解決手段】ヘッド部５の回転筒６に歯牙を治療するためのバー７を装着し、モータ１の回転軸２の回転を該バー７に伝達し、該バー７を回転して歯牙の治療を行う。モータ１の回転軸２の端部と動力伝達軸４1の端部に対向してかつ所定の間隔をおいて磁石１１ａと１１ｂを設け、かつ、これら磁石１１ａと１１ｂの間に動力伝達軸４1側とモータ回転軸２とを隔絶する隔壁板２０を設けた。この隔壁板２０により、ヘッド部５からモータ１へ液体等が侵入するのを防止することができる。【選択図】図１
2012085955.tif 000002
【特許請求の範囲】
【請求項１】
ハンドピース部と、該ハンドピース部に接続される動力部とを有し、該動力部に配設されたモータの回転軸の回転を前記ハンドピース部内に配設された動力伝達軸を介して該ハンドピース部の先端ヘッド部に伝達し、該ヘッド部に装着された歯牙治療用のバーを回転して歯牙の治療を行うようにした歯科用マイクロエンジンインスツルメントにおいて、前記モータの回転軸の端部に配設された磁石と前記動力伝達軸の端部に前記磁石に対向してかつ所定の間隔をおいて配設された磁石を有し、かつ、これら磁石の間に前記動力伝達軸側とモータ回転軸側との空間を隔絶する隔壁板を有することを特徴とする歯科治療用マイクロエンジンインスツルメント。
【発明の詳細な説明】
【技術分野】
【０００１】
本発明は、歯科用ハンドピース、より詳細には、歯科治療において、歯牙の切削等に用いるマイクロエンジン（マイクロモータ）インスツルメントにおける電動機（モータ）内部への液体その他異物の侵入を防止し、モータの寿命の向上を図ったものである。
【背景技術】
【０００２】
歯科治療においては、歯牙の切削等にマイクロエンジン（マイクロモータ）インスツルメントを用いるが、このマイクロエンジンインスツルメントは、モータの回転軸の回転を動力伝達軸を通してヘッド部の歯科治療具（例えば、歯牙切削バー）に伝達し、該バーの回転によって歯牙の切削等を行うものであるが、バー回転中、ヘッド部先端より液体等の吸い込みが発生し、該液体等がモータ内に侵入し、モータが回転不良を起こす等の不具合があった。
【０００３】
図２は、本発明が適用される従来のマイクロエンジン（マイクロモータ）インスツルメントの一例を説明するための要部概略断面構成図で、図中、１０はマイクロエンジンインスツルメントで、該インスツルメント１０は、動力源としての電動機（モータ）１を有する動力部９と、該動力部９が連結されるハンドピース部８（８1，８2，８3）とから成り、動力部９のモータ１の回転軸２の回転がハンドピース８内の連結機構３、動力伝達軸４1，４2等を介して、該ハンドピース部先端のヘッド部５に設けられている回転筒６を回転する。この回転筒６にはチャック機構が一体的に取り付けられており、該チャック機構は前記回転筒６と一体的に回転する。このチャック機構には、例えば、歯牙を切削する切削具（バー）７が着脱自在に装着され、該バー７が回転されて歯牙の切削が行われる。
【０００４】
上述のように、マイクロエンジンインスツルメントは、モータ１の回転軸２の回転を動力伝達軸４1，４2等を介してヘッド部５に装着されるバー７に伝達し、該バー７を回転するものであるが、この回転を伝達する動力伝達軸４1，４2と該動力伝達軸が挿通されるハンドピース８（８1，８2，８3）との間に隙間があるため、この隙間を通して、ヘッド部５より液体や粉塵等が侵入し、これらがモータ１に蓄積され、モータ１が回転不良を起こす等の問題があった。
【発明の概要】
【発明が解決しようとする課題】
【０００５】
本発明は、上述のごとき実情に鑑みてなされたもので、歯科用マイクロエンジンインスツルメントにおいて、モータの回転軸の回転を磁気カップリングを介して非接触にて動力伝達軸に伝達するようにするとともに、この非接触の磁気カップリング間に隔壁板を配設し、該隔壁板にて液体もしくは何らかの粉塵や異物の通過を遮断し、液体等がモータ内部に侵入するのを防止し、もって、モータの回転不良などの不具合を防止することを目的としてなされたものである。
【課題を解決するための手段】
【０００６】
上記課題を解決するために、本発明の請求項１の発明は、ハンドピース部と、該ハンドピース部に接続される動力部とを有し、該動力部に配設されたモータの回転軸の回転を前記ハンドピース部内に配設された動力伝達軸を介して該ハンドピース部の先端ヘッド部に伝達し、該ヘッド部に装着された歯牙治療用のバーを回転して歯牙の治療を行うようにした歯科用マイクロエンジンインスツルメントにおいて、前記モータの回転軸の端部に配設された磁石と前記動力伝達軸の端部に前記磁石に対向してかつ所定の間隔をおいて配設された磁石を有し、かつ、これら磁石の間に前記動力伝達軸側とモータ回転軸側との空間を隔絶する隔壁板を有することを特徴としたものである。
【発明の効果】
【０００７】
本発明によると、ハンドピースに接続されたモータの回転軸の回転を磁気カップリングを介して非接触にてハンドピース内の動力伝達軸に伝達するようにするとともに、この磁気カップリングを構成する磁石間（非接触の空間）に隔壁板を設け、この隔壁板によって液体等の通過を遮断し、モータ内に液体や粉塵等の異物が侵入しないようにしたので、モータの回転不良等の不具合を軽減することができる。
【図面の簡単な説明】
【０００８】
【図１】本発明による歯科用マイクロエンジンインスツルメントの実施例を説明するための要部概略断面構成図である。
【図２】従来の歯科用マイクロエンジンインスツルメントの一例を説明するための要部概略断面構成図である。
【発明を実施するための形態】
【０００９】
図１は、本発明による歯科治療用マイクロエンジンインスツルメントの実施例を説明するための要部概略断面構成図で、図１（Ａ）は、本発明による隔壁板２０を図２のＡにて示す位置に設けた例、図１（Ｂ）は、Ｂにて示す位置に設けた例（図２に示した連結機構３をなくした例）を示す。なお、図１において、図２に示した従来のマイクロエンジンインスツルメントと同様の作用をする部分には、図２の場合と同一の参照番号が付してある。前述のように、従来のマイクロエンジンインスツルメントでは、切削バー７を回転中、ヘッド部５の先端より液体等の吸い込みが発生し、この液体がモータ１の内部まで侵入し、洗浄ができないモータ１は、侵入した液体（もしくは何らかの粉塵や異物の蓄積）により内部で回転不良などの不具合が発生してしまうが、本発明は、この不具合を、非接触で回転を伝達することのできる磁気カップリング１１（１１ａ，１１ｂ）と、この磁気カップリング１１の非接触の空間（１１ａと１１ｂの間）に配設された隔壁板２０によって解消したものである。
【００１０】
図１において、１１ａはモータ側の回転軸２の先端に取り付けられた磁石、１１ｂはヘッド側の動力伝達軸４1の端部に前記磁石１１ａに対向して所定の間隔をもって配設された磁石で、これら磁石１１ａと１１ｂは非接触の磁気カップリング１１を構成し、モータ１の回転軸２の回転は、該磁気カップリング１１を介してヘッド部５の回転筒６に伝達され、該回転筒６に装着された切削バー７を回転し、従来のマイクロエンジンインスツルメントと全く同様にして使用される。
【００１１】
磁気カップリング１１を構成する磁石１１ａと１１ｂの間には、これら磁石１１ａ側と１１ｂ側とを隔絶する隔壁板２０が設けられており、この隔壁板２０によって、ヘッド部５からの液体や切削粉塵等の異物がモータ１側へ侵入するのを防止し、モータ１が回転不良を起こすようなことはなくなる。
【００１２】
なお、図１（Ｂ）に示した例は、図１（Ａ）における連結機構３をなくしたものであるが、このようにすると、連結機構３による振動、騒音を低減することができ、同時に、耐久性を向上させることができる。
【符号の説明】
【００１３】
１…電動機（モータ）、２…モータ回転軸、３…連結機構、４1，４2…動力伝達軸、５…ヘッド部、６…回転筒、７…切削具（バー）、８（８1，８2，８3）…ハンドピース部、９…動力部、１１…磁気カップリング、１１ａ，１１ｂ…磁石。
【図１】
2012085955.tif 000003
【図２】
2012085955.tif 000004